(57)【要約】【課題】より簡易な回路構成としながら、煩雑なキー操作等を一切必要とせず、投影状況に応じてポイント光の状態を自動的に可変設定する。【解決手段】投影対象に向けて画像を投影する投影画像処理部14、マイクロミラー素子15、投影レンズ21を含む投影部、投影画像を撮影する撮影レンズ30、ＣＣＤ32、撮影制御部26、画像記録部27を含む撮影部、撮影画像から画像投影状態の変化を検出する制御部25、その検出結果に応じて光ポインタの照射条件を指示する指示情報を送信する送信制御部28、アンテナ33を備えたプロジェクタ装置10と、指示情報を受信するアンテナ(51)及び受信制御部(52)、ポイント光を発して出射するレーザ光駆動部(55)及びレーザ光発振部(56)、発せられたポイント光に対し、指示情報に応じた加工を施して出射するレーザ光処理部(57)及び制御部(53)を備えたレーザポインタ装置(50)とからなる投影システム。【選択図】図１
2008172510.tif 000002
【特許請求の範囲】
【請求項１】
投影対象に向けて画像を投影する投影手段、この投影手段での画像投影状態を検出する検出手段、及びこの検出手段での検出結果に応じて装置外部の光ポインタ装置へ照射条件を指示する指示情報を送信する送信手段を備えた投影装置と、
上記指示情報を受信する受信手段、ポイント光を発して出射する発光手段、及びこの発光手段の発するポイント光に対し、上記受信手段で受信した指示情報に応じた加工を施して出射する光処理手段を備えた光ポイント装置と
からなることを特徴とする投影システム。
【請求項２】
上記投影装置の
上記投影手段は、投影する画像の画角を可変するズーム機能を有し、
上記検出手段は、少なくとも上記投影手段で投影する画像の画角を検出し、
上記送信手段は、上記検出手段での検出結果に応じて光ポインタ装置でのポイント光の照射サイズの変更を指示し、
上記光ポイント装置の
上記光処理手段は、指示情報に応じてポイント光の照射サイズを変更して出射する
ことを特徴とする請求項１記載の投影システム。
【請求項３】
上記投影装置の
上記検出手段は、上記投影手段で投影する画像の画角と投影対象までの距離を検出し、
上記送信手段は、上記検出手段での検出結果に応じて光ポインタ装置でのポイント光の照射サイズの変更を指示する
ことを特徴とする請求項２記載の投影システム。
【請求項４】
上記投影装置の
上記検出手段は、上記投影手段で投影する画像の色成分を検出し、
上記送信手段は、上記検出手段での検出結果に応じて光ポインタ装置でのポイント光の色の変更を指示し、
上記光ポイント装置の
上記光処理手段は、指示情報に応じてポイント光の色を変更して出射する
ことを特徴とする請求項１記載の投影システム。
【請求項５】
上記投影装置の
上記検出手段は、上記投影手段で投影する画像のパターンのタイプを検出し、
上記送信手段は、上記検出手段での検出結果に応じて光ポインタ装置でのポイント光の形状の変更を指示し、
上記光ポイント装置の
上記光処理手段は、指示情報に応じてポイント光の形状を変更して出射する
ことを特徴とする請求項１記載の投影システム。
【請求項６】
上記投影装置の
上記検出手段は、上記投影手段で投影した画像を撮影する撮影手段と、この撮影手段で得た画像と上記投影手段で投影する画像との比較により画像投影状態を検出する比較手段とからなる
ことを特徴とする請求項１記載の投影システム。
【請求項７】
投影対象に向けて画像を投影する投影手段と、
この投影手段での画像投影状態を検出する検出手段と、
この検出手段での検出結果に応じて装置外部の光ポインタ装置へ照射条件を指示する指示情報を送信する送信手段と
を具備したことを特徴とする投影装置。
【請求項８】
装置外部からの照射条件を指示する指示情報を受信する受信手段と、
ポイント光を発して出射する発光手段と、
この発光手段の発するポイント光に対し、上記受信手段で受信した指示情報に応じた加工を施して出射する光処理手段と
を具備したことを特徴とする光ポイント装置。
【請求項９】
投影対象に向けて画像を投影する投影部を備えた投影装置での投影制御方法であって、
上記投影部での画像投影状態を検出する検出工程と、
この検出工程での検出結果に応じて投影装置外部の光ポインタ装置へ照射条件を指示する指示情報を送信する送信工程と
を有したことを特徴とする投影制御方法。
【請求項１０】
ポイント光を発して出射する光ポイント装置のポイント光制御方法であって、
装置外部からの照射条件を指示する指示情報を受信する受信工程と、
上記ポイント光に対し、上記受信工程で受信した指示情報に応じた加工を施して出射する光処理工程と
を有したことを特徴とするポイント光制御方法。
【請求項１１】
投影対象に向けて画像を投影する投影部を備えた投影装置が内蔵するコンピュータが実行するプログラムであって、
上記投影部での画像投影状態を検出する検出ステップと、
この検出ステップでの検出結果に応じて投影装置外部の光ポインタ装置へ照射条件を指示する指示情報を送信する送信ステップと
をコンピュータに実行させることを特徴とするプログラム。
【請求項１２】
ポイント光を発して出射する光ポイント装置が内蔵するコンピュータが実行するプログラムであって、
装置外部からの照射条件を指示する指示情報を受信する受信ステップと、
上記ポイント光に対し、上記受信ステップで受信した指示情報に応じた加工を施して出射する光処理ステップと
をコンピュータに実行させることを特徴とするプログラム。
【発明の詳細な説明】
【技術分野】
【０００１】
本発明は、プレゼンテーションに好適な投影システム、投影装置、光ポイント装置、投影制御方法、ポイント光制御方法及びプログラムに関する。
【背景技術】
【０００２】
従来、視覚的に分かりやすい指示が可能なプレゼンテーションを行なう技術として、処理装置からの制御信号を受信し、投射状態を示す情報を処理装置へ向け送信する送受信部と、当該制御情報および投射指示部からの指示の種別に基づき、レーザー光投射部を制御してレーザー光の形状を変化させる制御部とを含んでレーザーポインタを構成するようにしたものが考えられている。（例えば、特許文献１）
【特許文献１】特開２００２−０４１２３８号公報
【発明の開示】
【発明が解決しようとする課題】
【０００３】
上記特許文献１に記載された技術は、基本的にレーザーポインタ側での操作、例えばクリック操作やドラッグ操作等に応じた操作信号を送受信部によりプロジェクタ側へ送信し、プロジェクタ側ではそのキー操作に対応した制御信号を生成してレーザーポインタ側へ送信することで、レーザーポインタより出射するレーザー光の形状を変化させるものとなっている。
【０００４】
具体的には、レーザーポインタに備えられるキースイッチを１段目／２段目／３段目と操作することで、矢印（通常のポイント指示）／円形（クリック）／楕円形（ドラッグ）とポイント光の形状を変化させるものとしている。
【０００５】
換言すれば、レーザーポインタ側で何らかのキー操作を行なうことで、その操作信号を受けたプロジェクタ側がレーザーポインタでのポイント光形状を制御するもので、レーザポインタ及びプロジェクタ共に信号の送信と受信とを行なう送受信部（１８０，６０）の構成が必須となっている。
【０００６】
したがって、レーザーポインタとプロジェクタの双方で複雑な回路構成が必要となり、共に回路規模が大きくなってしまうという不具合がある。
【０００７】
一方で、常にレーザーポインタを所持するユーザ（プレゼンター）のキー操作、例えば１段目／２段目／３段目とその状態で必要な操作を選択して実行する必要があり、当然ながら操作を間違えると、出射されるポイント光の形状も、本来は所望しない形状となってしまう、という不具合がある。
【０００８】
本発明は上記のような実情に鑑みてなされたもので、その目的とするところは、より簡易な回路構成としながら、煩雑なキー操作等を一切必要とせず、投影状況に応じてポイント光の状態を自動的に可変設定することが可能な投影システム、投影装置、光ポイント装置、投影制御方法、ポイント光制御方法及びプログラムを提供することにある。
【課題を解決するための手段】
【０００９】
請求項１記載の発明は、投影対象に向けて画像を投影する投影手段、この投影手段での画像投影状態を検出する検出手段、及びこの検出手段での検出結果に応じて装置外部の光ポインタ装置へ照射条件を指示する指示情報を送信する送信手段を備えた投影装置と、上記指示情報を受信する受信手段、ポイント光を発して出射する発光手段、及びこの発光手段の発するポイント光に対し、上記受信手段で受信した指示情報に応じた加工を施して出射する光処理手段を備えた光ポイント装置とからなることを特徴とする。
【００１０】
請求項２記載の発明は、上記請求項１記載の発明において、上記投影装置の上記投影手段は、投影する画像の画角を可変するズーム機能を有し、上記検出手段は、少なくとも上記投影手段で投影する画像の画角を検出し、上記送信手段は、上記検出手段での検出結果に応じて光ポインタ装置でのポイント光の照射サイズの変更を指示し、上記光ポイント装置の上記光処理手段は、指示情報に応じてポイント光の照射サイズを変更して出射することを特徴とする。
【００１１】
請求項３記載の発明は、上記請求項２記載の発明において、上記投影装置の上記検出手段は、上記投影手段で投影する画像の画角と投影対象までの距離を検出し、上記送信手段は、上記検出手段での検出結果に応じて光ポインタ装置でのポイント光の照射サイズの変更を指示することを特徴とする。
【００１２】
請求項４記載の発明は、上記請求項１記載の発明において、上記投影装置の上記検出手段は、上記投影手段で投影する画像の色成分を検出し、上記送信手段は、上記検出手段での検出結果に応じて光ポインタ装置でのポイント光の色の変更を指示し、上記光ポイント装置の上記光処理手段は、指示情報に応じてポイント光の色を変更して出射することを特徴とする。
【００１３】
請求項５記載の発明は、上記請求項１記載の発明において、上記投影装置の上記検出手段は、上記投影手段で投影する画像のパターンのタイプを検出し、上記送信手段は、上記検出手段での検出結果に応じて光ポインタ装置でのポイント光の形状の変更を指示し、上記光ポイント装置の上記光処理手段は、指示情報に応じてポイント光の形状を変更して出射することを特徴とする。
【００１４】
請求項６記載の発明は、上記請求項１記載の発明において、上記投影装置の上記検出手段は、上記投影手段で投影した画像を撮影する撮影手段と、この撮影手段で得た画像と上記投影手段で投影する画像との比較により画像投影状態を検出する比較手段とからなることを特徴とする。
【００１５】
請求項７記載の発明は、投影対象に向けて画像を投影する投影手段と、この投影手段での画像投影状態を検出する検出手段と、この検出手段での検出結果に応じて装置外部の光ポインタ装置へ照射条件を指示する指示情報を送信する送信手段とを具備したことを特徴とする。
【００１６】
請求項８記載の発明は、装置外部からの照射条件を指示する指示情報を受信する受信手段と、ポイント光を発して出射する発光手段と、この発光手段の発するポイント光に対し、上記受信手段で受信した指示情報に応じた加工を施して出射する光処理手段とを具備したことを特徴とする。
【００１７】
請求項９記載の発明は、投影対象に向けて画像を投影する投影部を備えた投影装置での投影制御方法であって、上記投影部での画像投影状態を検出する検出工程と、この検出工程での検出結果に応じて投影装置外部の光ポインタ装置へ照射条件を指示する指示情報を送信する送信工程とを有したことを特徴とする。
【００１８】
請求項１０記載の発明は、ポイント光を発して出射する光ポイント装置のポイント光制御方法であって、装置外部からの照射条件を指示する指示情報を受信する受信工程と、上記ポイント光に対し、上記受信工程で受信した指示情報に応じた加工を施して出射する光処理工程とを有したことを特徴とする。
【００１９】
請求項１１記載の発明は、投影対象に向けて画像を投影する投影部を備えた投影装置が内蔵するコンピュータが実行するプログラムであって、上記投影部での画像投影状態を検出する検出ステップと、この検出ステップでの検出結果に応じて投影装置外部の光ポインタ装置へ照射条件を指示する指示情報を送信する送信ステップとをコンピュータに実行させることを特徴とする。
【００２０】
請求項１２記載の発明は、ポイント光を発して出射する光ポイント装置が内蔵するコンピュータが実行するプログラムであって、装置外部からの照射条件を指示する指示情報を受信する受信ステップと、上記ポイント光に対し、上記受信ステップで受信した指示情報に応じた加工を施して出射する光処理ステップとをコンピュータに実行させることを特徴とする。
【発明の効果】
【００２１】
本発明によれば、簡易な回路構成ながら、煩雑なキー操作等を一切必要とせず、投影状況に応じてポイント光の状態を自動的に可変設定することが可能となる。
【発明を実施するための最良の形態】
【００２２】
以下本発明をＤＬＰ（Ｄｉｇｉｔａｌ  Ｌｉｇｈｔ  Ｐｒｏｃｅｓｓｉｎｇ）（登録商標）方式のプロジェクタ装置とレーザポインタ装置とでなる投影システムに適用した場合の実施の一形態について図面を参照して説明する。
【００２３】
図１は、プロジェクタ装置１０の回路構成を示すものである。図中、１１は入出力コネクタ部である。この入出力コネクタ部１１は、例えばパーソナルコンピュータ等の外部装置との接続のためのＵＳＢ端子、映像入力用のミニＤ−ＳＵＢ端子、Ｓ端子、及びＲＣＡ端子と、音声入力用のステレオミニ端子等からなる。
【００２４】
この入出力コネクタ部１１より入力された各種規格の画像信号が、入出力インタフェース（Ｉ／Ｆ）１２、システムバスＳＢを介して画像変換部１３へ送られる。画像変換部１３は、送られてきた画像信号を所定のフォーマットの画像信号に統一した後に、投影画像処理部１４へ送出する。
【００２５】
投影画像処理部１４は、送られてきた画像信号により、空間的光変調素子（ＳＯＭ）であるマイクロミラー素子１５を表示駆動する。この場合、マイクロミラー素子１５は、適宜フレームレート（例えば６０［フレーム／秒］）、色成分の分割数、及び表示階調数を乗算した、より高速な時分割駆動で投影画像処理部１４により表示駆動される。
【００２６】
このマイクロミラー素子１５に対して、光源ランプ１６からの光が照射される。より詳細には、リフレクタ１７内に配置された高圧水銀灯でなる光源ランプ１６が出射する高輝度の白色光が、カラーホイール１８を介して適宜原色に着色される。この原色光は、インテグレータ１９で光束密度が平均化され、ミラー２０で全反射された後にマイクロミラー素子１５に照射される。
【００２７】
マイクロミラー素子１５に光が照射されると、その反射光で光像が形成され、投影レンズ２１を介して投影対象である図示しないスクリーンに投影表示される。
【００２８】
投影レンズ２１は、プロジェクタ装置１０の筐体前面に設けられるもので、本実施の形態では合焦位置及びズーム位置（投影画角）を任意に可変できるものとする。
【００２９】
しかるに、上記光源ランプ１６の点灯駆動、上記カラーホイール１８を回転させるモータ（Ｍ）２２の回転駆動、及び上記投影レンズ２１中のフォーカスレンズ及びズームレンズを投影光軸に沿って移動させるレンズモータ（Ｍ）２３の回転駆動をいずれも投影光処理部２４が実行する。
【００３０】
上記各回路のすべての動作制御を司るのが制御部２５である。この制御部２５は、ＣＰＵと、後述する投影動作、撮像動作の処理を含む該ＣＰＵで実行される動作プログラム等を記憶した不揮発性メモリ、及びワークメモリ等により構成される。
【００３１】
この制御部２５にはまた、システムバスＳＢを介して撮影制御部２６、画像記録部２７、送信制御部２８、及び音声処理部２９が接続される。
【００３２】
撮影制御部２６は、このプロジェクタ装置１０の筐体前面に上記投影レンズ２１と並列配置された撮影レンズ３０中のフォーカスレンズを撮影光軸に沿って移動させるレンズモータ（Ｍ）３１の回転駆動を制御する。撮影レンズ３０の撮像光軸後方には、撮像素子であるＣＣＤ３２が配置され、撮影レンズ３０で結像される光像を光電変換する。
【００３３】
撮影制御部２６は、このＣＣＤ３２の出力であるアナログ値の画像信号を受けてデジタル化し、画素補間処理及びγ補正処理を含むカラープロセス処理を実施した上でデジタル値の輝度信号Ｙ及び色差信号Ｃｂ，Ｃｒを生成し、システムバスＳＢを介して上記画像変換部１３に出力する。
【００３４】
画像変換部１３は、輝度及び色差信号をＡＤＣＴ、ハフマン符号化等の処理によりデータ圧縮し、得た画像データを、このプロジェクタ装置１０の記録媒体として装着される画像記録部２７に書込む。画像記録部２７は、例えばフラッシュメモリ等でなり、撮像により得た画像データを記録する。
【００３５】
上記投影レンズ２１の投影光軸と上記撮影レンズ３０の撮影光軸は平行に設定され、且つ投影レンズ２１と撮影レンズ３０はプロジェクタ装置１０の筐体前面に近接して配置される。撮影レンズ３０での撮影画角は、投影レンズ２１の最大投影画角をカバーするように設定されるため、投影レンズ２１より投影される画像は、確実に撮影レンズ３０を介してＣＣＤ３２で撮影することができる。
【００３６】
送信制御部２８は、例えば無線ＬＡＮ技術の一規格であるＩＥＥＥ８０２．１１ｇ規格に準拠し、アンテナ３３を介し、後述するレーザポインタ装置５０に対して制御信号を送信する。
【００３７】
音声処理部２９は、ＰＣＭ音源等の音源回路を備え、投影動作時に与えられる音声データをアナログ化し、例えばこのプロジェクタ装置１０の筐体上面に配置されるスピーカ３４を駆動して拡声放音し、あるいは必要によりビープ音を発生させる。
【００３８】
なお、上記制御部２５にはまた、キー入力部３５及びＩｒ受光部３６が直接接続される。  
キー入力部３５は、このプロジェクタ装置１０の筐体上面に配置された一群の操作キー、例えば電源キー、ＡＦＫ（Ａｕｔｏｍａｔｉｃ  Ｆｏｃｕｓ／ａｕｔｏｍａｔｉｃ  Ｋｅｙｓｔｏｎｅ  ｃｏｒｒｅｃｔｉｏｎ：自動合焦／自動台形補正）キー、ズームアップ／ダウンキー、信号選択キー、ボリュームアップ／ダウンキー、カーソルキー等からなる。これらのキー操作信号はいずれも直接制御部２５に入力される。
【００３９】
Ｉｒ受光部３６は、例えばこのプロジェクタ装置１０の筐体全面と背面、各１箇所ずつに配置されるもので、そのいずれかでこのプロジェクタ装置１０の図示しないリモートコントローラからの赤外線変調信号を受光し、該リモートコントローラで操作されたキーに対応したキー操作信号に変換した後に制御部２５へ出力する。  
なお、上記リモートコントローラにもキー入力部３５と同様のキーが備えられるものとする。
【００４０】
このプロジェクタ装置１０と共に投影システムを構成するレーザポインタ装置５０の構成についても図２により説明する。
【００４１】
プロジェクタ装置１０のアンテナ３３から発振された制御信号は、レーザポインタ装置５０側でアンテナ５１を介して受信制御部５２で受信される。
【００４２】
この受信制御部５２は、アンテナ５１を介して受信したプロジェクタ装置１０からの制御信号を復調して制御部５３に与える。
【００４３】
この制御部５３は、レーザポインタ装置５０全体の動作を制御するもので、ＣＰＵと、後述するポイント光投射動作を含む該ＣＰＵで実行される動作プログラム等を記憶した不揮発性メモリ、及びワークメモリ等により構成される。
【００４４】
この制御部５３は、電源キー５４の操作信号が直接入力される他、レーザ光駆動部５５に対して駆動制御信号を出力する。
【００４５】
レーザ光駆動部５５は、制御部５３からの駆動制御信号に基づいて、半導体レーザで構成されるレーザ光発振部５６を発光駆動する。
【００４６】
レーザ光発振部５６は、例えば波長が６４０ｎｍ程度の赤色レーザ光を発振して出力するもので、このレーザ光発振部５６からのレーザ光はレーザ光処理部５７を介してポイント光として外部へ投射される。
【００４７】
レーザ光処理部５７は、回動軸が互いに直交している２枚のミラーを介してレーザ光発振部５６からのレーザ光の出射角度を循環的に変化させることで出射形状を可変すると共に、必要に応じてレーザ光路中に周波数変換用の結晶素子を挿入することで赤色レーザ光を例えば波長５３０ｎｍ程度の緑色レーザ光に変換する。
【００４８】
これらレーザ光処理部５７でのレーザ光の出射形状を変化させる２枚のミラーの回動駆動、及びレーザ光の色を変換するための上記結晶素子の光路に対する挿脱駆動は、共に上記制御部５３からの制御信号に基づいて実行される。
【００４９】
次に上記実施の形態の動作について説明する。  
図３は、プロジェクタ装置１０側でプレゼンテーション時に投影動作と平行して所定時間、例えば０．５［秒］間隔で実行される、レーザポインタ装置５０の制御のための動作処理内容を示すものである。これらの動作は、予め記憶している動作プログラムに基づいて制御部２５が実行する。
【００５０】
その動作当初には、上記所定時間が経過するのを待った後（ステップＴ０１）、投影レンズ２１から投影している画像を、撮影レンズ３０を介してＣＣＤ３２で撮影させる（ステップＴ０２）。撮影制御部２６は、ＣＣＤ３２の駆動制御を行なって撮影を実行させると共に、撮影により得た画像データを画像記録部２７に記録させる。
【００５１】
次いで、この撮影画像とマイクロミラー素子１５で光像を形成して投影レンズ２１より投影している画像とのマッチングを行なうことで、２つの画像の比較を行なう（ステップＴ０３）。この比較により、、撮影画像中に重畳されているポイント部を抽出して認識した上で、投影画像に対するその座標位置を記憶する（ステップＴ０４）。
【００５２】
この今回のポイント部の座標を、前回の同処理により記憶していたポイント部の座標と比較し（ステップＴ０５）、差分が所定のしきい値を越えているか否かにより、ポインタ部が前回から移動したか否かを判断する（ステップＴ０６）。
【００５３】
ここで所定のしきい値は、ユーザがレーザポインタ装置５０により投影画像中のどこかをポイント指示する場合に、レーザポインタ装置５０を把持する場合の手の微小な揺れ等を考慮し、明らかに移動したと思われる数値を予め設定しておく。
【００５４】
しかして、上記ステップＴ０６で投影画像中のポイント部に動きがないと判断した場合には、それまで通りでポインタ光に関する何らかの可変制御は行なわないものとし、再び上記ステップＴ０１からの処理に戻って、所定時間が経過するのを待機する。
【００５５】
一方、上記ステップＴ０５でポイント部に動きがあったと判断した場合には、次にポイント部周辺の投影画像を認識し（ステップＴ０７）、プロジェクタ装置１０側に特定の動作があったか、あるいは画像中から特定の情報を認識することができたか否かを判断する（ステップＴ０８）。
【００５６】
ここで動作、あるいは特定の情報としては、プロジェクタ装置１０側の動作では投影レンズ２１のズーム倍率（投影画角）であり、投影画像中の特定の情報としては、投影画像の色成分が緑系を主としたものであるか、または緑系以外を主としたものであるか、図形やイラストなどを主体とした画像であるか、あるいは文章や表等を主体とした画像であるかを認識するものとする。
【００５７】
ユーザのキー入力部３５またはリモコンキー操作により投影レンズ２１のズーム倍率（投影画角）が変化（拡大または縮小）した場合には、制御部２５が投影光処理部２４を介してレンズモータ２３を回動制御する際に、その内容を制御部２５自身が判断する。
【００５８】
投影画像の色成分が緑系、あるいは緑系以外を主としたものであるかどうかは、撮影した投影画像のポイント部周辺の各原色成分毎のヒストグラムを求めることにより、容易に判断できる。
【００５９】
投影画像が図形やイラストなどを主体とした画像、あるいは文章や表等を主体とした画像であるか否かは、例えば撮影した投影画像のポイント部周辺の各原色成分毎のヒストグラムを求め、特定の階調値が突出しており（＝特定階調の画素が一定以上存在する）、且つ画像記録部２７への記録時のＡＤＣＴ処理過程で得られる高周波成分が一定以上存在する（＝文字や図形などエッジ成分の割合が高い）か否かにより判断することができる。
【００６０】
この場合、さらに画像中から文字列の切出し処理を行ない、所定以上の文字間、行間に相当すると思われる空白部を検出することができた場合には文章や表等を主体とした画像であり、できなかった場合には図形やイラストなどを主体とした画像であると判断できる。
【００６１】
しかるに、上記ステップＴ０８でプロジェクタ装置１０側に特定の動作がなく、且つ、画像中から特定の情報を認識することもできなかったと判断した場合には、次いで投影動作の終了が指示されたか否かを判断する（ステップＴ０９）。
【００６２】
ここで、投影動作の終了が指示されたと判断した場合には、合わせて以上でこの図３の処理を終了する一方で、指示されていないと判断した場合には、再び上記ステップＴ０１からの処理に戻る。
【００６３】
また、上記ステップＴ０８でプロジェクタ装置１０側に特定の動作があったか、あるいは画像中から特定の情報を認識することができたと判断した場合には、その内容に応じてレーザポインタ装置５０での照射条件をあらたに指示するべく、まず投影レンズ２１のズーム倍率（投影画角）が変化（拡大または縮小）したか否かを判断する（ステップＴ１０）。
【００６４】
そうであった場合、ズーム角度の拡大または縮小の方向に合わせて投影画面上でのポイント部の照射サイズを拡大または縮小させるべく指示信号を生成し、送信制御部２８、アンテナ３３を介して上記レーザポインタ装置５０側へ送信した後（ステップＴ１１）、上記ステップＴ０１からの処理に戻る。
【００６５】
このとき、直前の上記ステップＴ０２での投影画像の撮影処理において、自動合焦処理により撮影レンズ３０中のフォーカスレンズをレンズモータ３１により移動させた結果から、投影画像までの距離を得ることができる場合には、投影画角と距離とにより、投影対象となるスクリーン上での正確な投影画像のサイズを推測することができるので、それを勘案してより適切なポイント光の照射サイズを設定することができる。
【００６６】
また、上記ステップＴ１０で投影レンズ２１のズーム倍率（投影画角）が変化（拡大または縮小）したのではないと判断した場合には、次いで投影画像が図形やイラスト等を主としたものであるかどうかを判断する（ステップＴ１２）。
【００６７】
そうであった場合、投射するレーザ光の形状がサークル（小規模の円形）となるよう指示信号を生成し、送信制御部２８、アンテナ３３を介して上記レーザポインタ装置５０側へ送信した後（ステップＴ１３）、上記ステップＴ０１からの処理に戻る。
【００６８】
また、上記ステップＴ１２で投影画像が図形やイラスト等を主としたものではないと判断した場合には、次いで投影画像が文字列からなる文章等を主体としたものであるか否かを判断する（ステップＴ１４）。
【００６９】
そうであった場合、投射するレーザ光の形状がライン（線分）となるよう指示信号を生成し、送信制御部２８、アンテナ３３を介して上記レーザポインタ装置５０側へ送信した後（ステップＴ１５）、上記ステップＴ０１からの処理に戻る。
【００７０】
また、上記ステップＴ１４で投影画像が文字列からなる文章等を主体としたものではないと判断した場合には、次いで投影画像の色成分が緑系を主としたものであるかどうかを判断する（ステップＴ１６）。
【００７１】
そうであった場合、レーザポインタ装置５０の出射するレーザ光が緑色であると、ポインタ光として投影画像中で認識し難い可能性が高いため、赤色のレーザ光を出射させるべく指示信号を生成し、送信制御部２８、アンテナ３３を介して上記レーザポインタ装置５０側へ送信した後（ステップＴ１７）、上記ステップＴ０１からの処理に戻る。
【００７２】
また、上記ステップＴ１６で投影画像の色成分が緑系を主としたものではないと判断した場合には、発光輝度の点で赤色よりも大幅に有利である緑色のレーザ光とするような指示信号を生成し、送信制御部２８、アンテナ３３を介して上記レーザポインタ装置５０側へ送信した後（ステップＴ１８）、上記ステップＴ０１からの処理に戻る。
【００７３】
上記のようなプロジェクタ装置１０側での動作に対し、発信された指示信号を受けるレーザポインタ装置５０側での動作について説明する。
【００７４】
図４は、レーザポインタ装置５０側で電源キー５４の操作に応じて行なう処理内容を示すものである。これらの動作は、予め記憶している動作プログラムに基づいて制御部５３が実行する。
【００７５】
その動作当初には、電源キー５４のキー操作による電源オンとレーザ光の照射が指示されるのを待機し（ステップＲ０１）、電源キー５４が操作された時点でレーザ光駆動部５５によりレーザ光発振部５６を励振してレーザ光を出射させる。
【００７６】
このとき、レーザ光処理部５７では、回動軸が互いに直交している２枚のミラーに対して共に基準位置を保持させて回動動作を抑制することで、出射されるレーザ光のパターンがドット（スポット）となるようにする一方で、光路中に周波数変換用の結晶素子を挿入させることで、レーザ光発振部５６より出射される赤色レーザ光を緑色レーザ光に変換する（ステップＲ０２）。
【００７７】
その後、再び電源キー５４が操作されて電源オフとレーザ光の照射の停止が指示されたか否か（ステップＲ０３）、プロジェクタ装置１０側からの指示信号をアンテナ５１を介して受信制御部５２で受信したか否か（ステップＲ０４）を繰返し判断することで、これらの状態となるのを待機する。
【００７８】
しかして、プロジェクタ装置１０側からの指示信号を受信制御部５２で受信した場合、ステップＲ０４でこれを判断すると、次に受信した指示信号は、その時点で出射しているレーザ光の形状の拡大または縮小を示すズームの指示であるか否かを判断する（ステップＲ０５）。
【００７９】
そうであった場合、その指示情報に含まれている拡大／または縮小の倍率情報に応じ、その時点で表示している形状（ドットまたはサークルまたはライン）のサイズを変更するべく、レーザ光処理部５７の回動軸が互いに直交している２枚のミラーの回動角（振幅）を必要により調整した上で（ステップＲ０６）、次の動作に備えて上記ステップＲ０３からの処理に戻る。
【００８０】
また、上記ステップＲ０５で、受信した指示信号がレーザ光の形状の拡大または縮小を示すズームの指示ではなかったと判断した場合には、次いでレーザ光の照射形状をサークルとする指示信号であったか否かを判断する（ステップＲ０７）。
【００８１】
そうであった場合、レーザ光処理部５７の上記２枚のミラーの一方をサイン波状に、他方をコサイン波状に同期させて回動させることで、出射されるレーザ光が語句短い周期で循環的に円を描き、肉眼でサークルとなるように調整した上で（ステップＲ０８）、次の動作に備えて上記ステップＲ０３からの処理に戻る。
【００８２】
また、上記ステップＲ０７で、受信した指示信号がレーザ光の照射形状をサークルとする指示ではなかったと判断した場合には、次いでレーザ光の照射形状をラインとする指示信号であったか否かを判断する（ステップＲ０９）。
【００８３】
そうであった場合、レーザ光処理部５７の上記２枚のミラーの一方のみを所定の振幅で振り子状に回動させることで、出射されるレーザ光が語句短い周期で循環的に線分上を往復し、肉眼で１本のラインとなるように調整した上で（ステップＲ１０）、次の動作に備えて上記ステップＲ０３からの処理に戻る。
【００８４】
また、上記ステップＲ０９で、受信した指示信号がレーザ光の照射形状をラインとする指示ではなかったと判断した場合には、次いでレーザ光の色を赤とする指示信号であったか否かを判断する（ステップＲ１１）。
【００８５】
そうであった場合、レーザ光処理部５７での光路中に挿入するための周波数変換用の結晶素子を該光路から外れた位置に移動させることで、レーザ光発振部５６より出射される赤色レーザ光をそのまま投射させるように設定した上で（ステップＲ１２）、次の動作に備えて上記ステップＲ０３からの処理に戻る。
【００８６】
また、上記ステップＲ１１でレーザ光の色を赤とする指示信号ではなかったかと判断した場合には、そのままレーザ光処理部５７での光路中に周波数変換用の結晶素子を挿入するべく移動させることで、レーザ光発振部５６より出射される赤色レーザ光を緑に変換した上で（ステップＲ１３）、次の動作に備えて上記ステップＲ０３からの処理に戻る。
【００８７】
なお、上記ステップＲ０３で電源キー５４が操作されと判断された場合には、以上でこの図４の処理を終了し、レーザポインタ装置５０の電源をオフしてレーザ光の出射を停止させる。
【００８８】
このように、その時点で必要とされるレーザ光の出射状態をプロジェクタ装置１０側で自動的に検出し、プロジェクタ装置１０からレーザポインタ装置５０に対して一方的にレーザ光の出射状態を変更する指示を送信し、レーザポインタ装置５０はこの指示を受けて適宜当該変更指示を実行するのみとしたので、プロジェクタ装置１０とレーザポインタ装置５０の回路構成をできうる限り簡易な回路構成としながら、特にレーザポインタ装置５０側では電源キー５４以外の煩雑なキー操作等を一切必要とせず、投影状況に応じてポイント光の状態を自動的に可変設定することが可能となる。
【００８９】
特に、プロジェクタ装置１０は、一般的なプロジェクタ装置と同様に投影画角を変化させるズーム機能を有するものとし、その投影画角に応じてレーザポインタ装置５０の出射するレーザ光の出射パターンのサイズを変更するものとした。
【００９０】
これにより、プロジェクタ装置１０での投影画角に応じて、投影される画像が大きければポインタのサイズも大きく、反対に投影される画像が小さければポイント光のサイズも小さくすることができ、ポイント光を適切なサイズにすることができる。
【００９１】
この場合、上述したように投影画角のみならず、例えば自動合焦処理によって得ることができる、投影対象までの距離をも勘案してポイント光のサイズを設定するものとすれば、より見易い適切なサイズを選定することができる。
【００９２】
さらに、上記実施の形態では、投影画像中のポイント光周辺の画像によりその色成分を認識し、認識した色成分と異なる色のポイント光が照射されるように自動的に切換えるものとしたので、投影対象となる画像の色に影響を受けることなく、常にポイント光の位置を確実に視認することができる。
【００９３】
また、上記実施の形態では、投影する画像のパターンが例えば図形やイラスト等を主体としたものであるか、あるいは文字列や表などを主体としたものであるかによって、ポイント光の形状を自動的に切換えるものとしたので、プレゼンテーション等においてもレーザポインタ装置５０を所持するユーザの煩雑な操作なしに、より適切な部位のポインティングを実行できる。
【００９４】
さらに、上記実施の形態では、投影している画像の状態を検出するための手段として、投影画像をそのままポインタ光の投射状態も含めて撮影し、その撮影画像から内容を判断するものとしたので、枝利的確に投影状態を把握することができると共に、撮影画像を投影動作の履歴としてそのまま画像記録部２７に記録することができる。
【００９５】
そのため、例えば投影の日時やその他の参考データと共に記録するものとすれば、後日プレゼンテーション等の結果として利用することも可能となる。
【００９６】
なお、上記実施の形態は、ＤＬＰ（登録商標）方式のプロジェクタ装置とレーザポインタ装置とでなる投影システムに適用した場合について説明したが、本発明はこれに限るものではなく、プロジェクタ装置であればカラー液晶パネルを用いたもの、光源に高輝度原色ＬＥＤをそれぞれ複数用いてモノクロの表示素子に照射する光を時分割駆動するもの、等でもよいし、ポインタ装置もレーザ光ではなく、高輝度ＬＥＤを用いたもの等でもよい。
【００９７】
その他、本発明は上述した実施の形態に限定されるものではなく、実施段階ではその要旨を逸脱しない範囲で種々に変形することが可能である。また、上述した実施の形態で実行される機能は可能な限り適宜組合わせて実施しても良い。上述した実施の形態には種々の段階が含まれており、開示される複数の構成要件により適宜の組合せにより種々の発明が抽出され得る。例えば、実施の形態に示される全構成要件からいくつかの構成要件が削除されても、効果が得られるのであれば、この構成要件が削除された構成が発明として抽出され得る。
【図面の簡単な説明】
【００９８】
【図１】本発明の実施の一形態に係るプロジェクタ装置の機能回路構成を示すブロック図。
【図２】同実施の形態に係るレーザポインタ装置の機能回路構成を示すブロック図。
【図３】同実施の形態に係るプロジェクタ装置がプレゼンテーション動作時に実行する一部の処理内容を示すフローチャート。
【図４】同実施の形態に係るレーザポインタ装置が実行する処理内容を示すフローチャート。
【符号の説明】
【００９９】
１０…プロジェクタ装置、１１…入出力コネクタ部、１２…入出力インタフェース（Ｉ／Ｆ）、１３…画像変換部、１４…投影画像処理部、１５…マイクロミラー素子（ＳＯＭ）、１６…光源ランプ、１７…リフレクタ、１８…カラーホイール、１９…インテグレータ、２０…ミラー、２１…投影レンズ、２２…モータ（Ｍ）、２３…レンズモータ（Ｍ）、２４…投影光処理部、２５…制御部、２６…撮影制御部、２７…画像記録部、２８…送信制御部、２９…音声処理部、３０…撮影レンズ、３１…レンズモータ（Ｍ）、３２…ＣＣＤ、３３…アンテナ、３４…スピーカ、３５…キー入力部、３６…Ｉｒ受光部、５０…レーザポインタ装置、５１…アンテナ、５２…受信制御部、５３…制御部、５４…電源キー、５５…レーザ光駆動部、５６…レーザ光発振部、５７…レーザ光処理部、ＳＢ…システムバス。
【図１】
2008172510.tif 000003
【図２】
2008172510.tif 000004
【図３】
2008172510.tif 000005
【図４】
2008172510.tif 000006